(57)【要約】【課題】テレビ番組視聴中にデータ放送画面に移行する際に、データ放送のコンテンツが現在のものなのか、過去に記録したものなのかを示す情報をユーザに対して明確に提示すること。【解決手段】現在放送中のテレビ番組視聴時におけるチューナからのトランスポートストリームまたは前記記録媒体からの録画番組視聴時におけるトランスポートストリームに含まれる日時情報を解析処理する日時情報解析処理部９を有し、日時情報解析処理部９によって求めた視聴中のテレビ番組または録画番組における日時情報と、映像処理部７からの映像データと、データ放送処理部８からのデータ放送部分と、を合成する映像出力合成部１２を有し、操作部１３を通してデータ放送部分の表示指示があった場合、視聴中のテレビ番組または録画番組にそれぞれ対応する日時情報を映像データに重畳して映像出力すること。【選択図】図１
2007300324.tif 000002
【特許請求の範囲】
【請求項１】
映像データと音声データとデータ放送部分からなるデジタル放送番組を受信し、前記デジタル放送番組のトランスポートストリームの映像と音声を出力し、前記トランスポートストリームを記録媒体に記録し再生するデジタル放送受信記録再生装置であって、
現在放送中のテレビ番組視聴時におけるトランスポートストリームまたは前記記録媒体からの録画番組視聴時におけるトランスポートストリームに含まれる日時情報を解析処理する日時情報解析処理部を有し、
前記日時情報解析処理部によって求めた視聴中の前記テレビ番組または録画番組における日時情報と、前記トランスポートストリームの映像データと、前記トランスポートストリームのデータ放送部分と、を合成する映像出力合成部を有し、
前記データ放送部分を表示するに際して、視聴中のテレビ番組または録画番組にそれぞれ対応する日時情報を前記映像データに重畳して映像出力する
ことを特徴とするデジタル放送受信記録再生装置。
【請求項２】
映像データと音声データのテレビ番組、前記テレビ番組に付随するデータ放送部分からなるデジタル放送番組を受信し、前記受信したデジタル放送番組のトランスポートストリームを記録媒体に記録し再生するとともに、前記トランスポートストリームの映像と音声をそれぞれ出力するデジタル放送受信記録再生装置であって、
現在放送中のテレビ番組視聴時におけるチューナからのトランスポートストリームまたは前記記録媒体からの録画番組視聴時におけるトランスポートストリームが入力されるとともに、映像処理部、音声処理部、データ放送処理部、および前記トランスポートストリームに含まれる日時情報を解析処理する日時情報解析処理部にそれぞれデータを分離して出力するデータ分離部を有し、
前記日時情報解析処理部によって求めた視聴中の前記テレビ番組または録画番組における日時情報と、前記映像処理部からの映像データと、前記データ放送処理部からのデータ放送部分と、を合成する映像出力合成部を有し、
操作部を通して前記データ放送部分の表示指示があった場合、視聴中のテレビ番組または録画番組にそれぞれ対応する日時情報を前記映像データに重畳して映像出力する
ことを特徴とするデジタル放送受信記録再生装置。
【請求項３】
請求項１または２において、
前記日時情報解析処理部は、前記トランスポートストリームに含まれる時刻日付オフセットテーブル（ＴＯＴデータ）を解析し日時情報を得るＴＯＴ解析手段と、前記得られた日時情報を更新し最新値を保持する日時情報記憶手段と、を有し、
前記日時情報記憶手段に保持された日時情報を前記映像データに重畳して映像出力する
ことを特徴とするデジタル放送受信記録再生装置。
【請求項４】
請求項１または２において、
前記日時情報解析処理部は、前記トランスポートストリームに含まれる時刻日付オフセットテーブル（ＴＯＴデータ）を解析し日時情報を得るＴＯＴ解析手段と、前記得られた日時情報を更新し最新値を保持する日時情報記憶手段と、自己のクロックにより計時処理を行う計時手段と、を有し、
前記日時情報記憶手段に保持された日時情報と前記計時手段から得られた日時情報との差が予め決められた設定値以上となったときに、前記日時情報記憶手段に保持された日時情報を前記計時手段にロードして前記計時手段の日時情報を補正し、
前記補正された日時情報を前記映像データに重畳して映像出力する
ことを特徴とするデジタル放送受信記録再生装置。
【発明の詳細な説明】
【技術分野】
【０００１】
本発明は、デジタル放送番組を受信して番組を記録・再生する装置に係わり、特に、データ放送の視聴機能を有するデジタル放送受信記録再生装置に関する。
【背景技術】
【０００２】
日本においてもデジタル放送が普及し始めている。ＢＳ／ＣＳ／地上波デジタル放送において供給される主たる番組コンテンツは、高品位の映像及び音声データにて構成されたテレビ番組であるが、主たる映像及び音声データに、様々なマルチメディアデータを付随して送信することが行われている。この付随する放送部分は、一般にデータ放送と呼ばれており、番組情報、ニュース、気象情報、ショッピング、ゲーム・クイズなど様々なサービスを含んでいる。
【０００３】
デジタル放送を受信可能で、かつ、データ放送を視聴する機能を有する機器のリモコン２０（図２参照）には、２１（十字カーソル・決定ボタン），２２（データ放送ボタン），２３（色ボタン）として図示したボタンが付いており、ユーザはこれらのボタン２１，２２，２３を押下し、データ放送コンテンツにアクションを与えることで、前述した多種サービスの提供を受けることができる。デジタル放送番組を視聴時にリモコン２０のデータ放送ボタン（以下、ｄボタンと記す）２２を押下すると、当該テレビ番組にデータ放送部分が付随していた場合は、図３のようなデータ放送画面に切り替わる。図３の表示例では、データ放送表示画面３０は、主映像であるテレビ番組の縮小画面３１とデータ放送部分が合成表示されており、気象情報３２、最新ニュース３３、番組情報３４が含まれている。
【０００４】
通常のテレビ番組視聴状態から、ｄボタン２２の押下によりデータ放送画面に切替えを行うと、本例で示したような各局のデータ放送のトップ画面に移行する場合が多い。ここから、リモコン２０の十字カーソル・決定ボタン２１、青、赤、緑、黄の色ボタン２３を使って、より詳細な内容画面に移動して、所望の情報を得ることになる。
【０００５】
一方、近年の記録媒体の低価格化、大容量化を背景に、デジタル放送受信に対応した家庭用記録再生機器が普及し始めている。今後、デジタル放送の番組数の増加及びサービス拡大や、記録媒体の更なる大容量化が進むに従い、記録再生機器にて、取り扱わなければならないコンテンツ数は大きく増加する。さらに、ネットワーク機能の強化により、機器間にてクライアント・サーバ的にコンテンツを取り扱うようになると、視聴時に選択可能なコンテンツ数は著しく増加する可能性がある。これらの機器を利用するユーザは、大量のコンテンツの中から、所望のものを選択することになるが、このとき現在放送中のデジタル放送番組であるか、以前に記録した番組であるかを特に意識することなく、現在、最も視聴したいコンテンツを選択できるようなインターフェースが望まれており、今後、記録再生機器には視聴可能なコンテンツを一元管理する機能が必須要件として求められる。
【発明の開示】
【発明が解決しようとする課題】
【０００６】
データ放送は、現在の最新ニュースや気象情報など、リアルタイム性の高い情報を配信している場合があるが、デジタル放送のテレビ番組を記録再生機器にて記録する場合、主たるテレビ番組に付随するデータ放送部分があれば、このデータ放送部分も記録することになる。従って、録画した番組の再生時に、ユーザがデータ放送部分を視聴しようとすれば、録画時のニュースや気象情報を表示することになるため、過去の情報内容を現在のものと誤認する恐れがある。
【０００７】
視聴中のコンテンツが放送中の番組なのか、過去に記録した番組なのかを誤認する可能性は、現時点においては、それほど高くないかもしれないが、今後、ユーザが選択視聴可能なコンテンツ数が増加し、機器の視聴コンテンツ選択機能が強化され、ユーザ・インターフェースが洗練されるに従い、視聴しているコンテンツ（またはコンテンツの実体）が一体何処に存在しているのか（特に、前述したクライアントサーバ的使用の場合）、現在放送中の番組なのか、録画した番組なのかという感覚は、より希薄になる可能性があり、前述した「過去のデータ放送の情報内容を現在のものであると誤認する」危険性は高くなる可能性がある。
【０００８】
本発明は、このような技術的背景に鑑みてなされたものありで、その目的は、テレビ番組視聴中に、データ放送画面に移行する際に、データ放送のコンテンツが現在のものなのか、過去に記録したものなのかを示す情報をユーザに対して明確に提示することにより、データ放送の情報内容の放送時期を意識させ、データ放送の情報内容を誤認する危険性を回避することができるデジタル放送受信記録再生装置を提供することにある。
【課題を解決するための手段】
【０００９】
前記課題を解決するために、本発明は主として次のような構成を採用する。  
映像データと音声データのテレビ番組、前記テレビ番組に付随するデータ放送部分からなるデジタル放送番組を受信し、前記受信したデジタル放送番組のトランスポートストリームを記録媒体に記録し再生するとともに、前記トランスポートストリームの映像と音声をそれぞれ出力するデジタル放送受信記録再生装置であって、
現在放送中のテレビ番組視聴時におけるチューナからのトランスポートストリームまたは前記記録媒体からの録画番組視聴時におけるトランスポートストリームが入力されるとともに、映像処理部、音声処理部、データ放送処理部、および前記トランスポートストリームに含まれる日時情報を解析処理する日時情報解析処理部にそれぞれデータを分離して出力するデータ分離部を有し、
前記日時情報解析処理部によって求めた視聴中の前記テレビ番組または録画番組における日時情報と、前記映像処理部からの映像データと、前記データ放送処理部からのデータ放送部分と、を合成する映像出力合成部を有し、
操作部を通して前記データ放送部分の表示指示があった場合、視聴中のテレビ番組または録画番組にそれぞれ対応する日時情報を前記映像データに重畳して映像出力する構成とする。
【発明の効果】
【００１０】
本発明によると、テレビ番組を視聴時に、データ放送画面に移行する際に、表示されるデータ放送コンテンツが現在、放送しているものなのか、過去に記録したものなのかを示す日時情報メッセージを映像出力に重畳することにより、ユーザに対してデータ放送コンテンツの放送時期（放送日時）を明確に提示し、データ放送の情報内容を誤認する危険性を回避することができる。
【発明を実施するための最良の形態】
【００１１】
本発明の第１と第２の実施形態に係るデジタル放送受信記録再生装置について、図１〜図５と図６を参照して以下説明する。
【００１２】
「第１の実施形態」
本発明の第１の実施形態に係るデジタル放送受信記録再生装置について、図１〜図５を参照しながら以下説明する。図１は本発明の第１の実施形態に係るデジタル放送受信記録再生装置の構成を示すブロック図である。図２は第１の実施形態に係るデジタル放送受信記録再生装置におけるリモコンの構成を示す図である。図３は第１の実施形態に関するテレビ番組を構成するデータ放送画面例を示す図である。図４は第１の実施形態に係るデジタル放送受信記録再生装置における日時情報解析処理部の詳細構成を示す図である。図５は第１の実施形態に係るデジタル放送受信記録再生装置における日時情報メッセージの画面表示例を示す図である。
【００１３】
図１において、デジタル放送受信記録再生装置１は、チューナ部３、トランスポートストリーム（以下、ＴＳと記す）デコーダ部４、記録データ処理部５、オーディオ処理部６、ビデオ処理部７、データ放送処理部８、日時情報解析処理部９、システム制御部１０、記録媒体１１、映像出力合成部１２、操作部１３、リモコン受光部１４、音声出力部１５、映像出力部１６、リモコン１７を具備し、これらの構成要素は、図１に図示されるように相互接続されている。
【００１４】
アンテナ２を介して受信した放送電波が放送信号としてチューナ部３に導入される。
【００１５】
チューナ部３は、所定のチャネルを選択受信すると共に、受信した放送信号を復調し、トランスポートストリーム信号（ＴＳ信号）を導出する。トランスポートストリーム（ＴＳ）は、複数の番組（サービス）を内包し伝送することが可能であり、主たるサービスであるテレビ番組を構成する映像データ及び音声データ、データ放送番組を構成する各種データ、或いは、ＩＳＯ／ＩＥＣ１３８１８−１にて規定されたＰＳＩ及び番組配列情報（ＳＩ）と呼ばれる付加データ等がパケット化され、多重化されている。
【００１６】
ＴＳデコーダ部４は、チューナ部３より供給されたＴＳ信号を、ＰＩＤと呼ばれるパケット識別子により、データ分離し、夫々のデータを後段の対応する各処理部へ供給する。オーディオ処理部６は、ＴＳデコーダ部４より供給される圧縮された音声データに対して復号処理を施し、非圧縮のデジタル音声信号に変換する。前記デジタル音声信号は音声出力部１５から音声として出力される。ビデオ処理部７は、ＴＳデコーダ部４より供給される圧縮された映像データに対して復号処理を施し、非圧縮のデジタル映像信号に変換して映像出力合成部１２へ出力する。データ放送処理部８は、データカルーセルにて伝送される文字、図形、画像等の各データを配置し表示制御を行い、データ放送画面を生成するといった所謂ＢＭＬブラウザの処理を行う。生成されたデータ放送画面は映像合成部１２へ供給される。
【００１７】
日時情報解析処理部９は、出力対象となるテレビ番組の日時情報を解析し、取得した日時情報を基に、日時情報ＯＳＤ（オンスクリーンディスプレイ）画面を生成し、映像合成部１２へ供給する。なお、日時情報解析処理に関しては後で詳しく説明する。映像出力合成部１２は、ビデオ処理部７、データ放送処理部８、日時解析処理部９から供給される映像信号をシステム制御部１０からの指示により適宜、重畳処理、合成処理等が施され、１枚の映像画面を生成し、映像出力部１６より映像として出力される。
【００１８】
記録データ処理部５は、記録時においては、ＴＳデコーダ部４から供給されるパーシャル化したＴＳ信号を記録媒体１１に記録するための処理を、また再生時においては、所定のＴＳを記録媒体１１から読み出し、ＴＳデコーダ部４に供給するための処理を行う。なお、ＴＳを記録する記録媒体１１の種類等に関しては、本明細書においては特に言及しないものとする。システム制御部１０は、操作部１３及びリモコン受光部１４が接続されており、操作部１３或いはリモコン１７より与えられるユーザの指示を解釈し、接続された各部を適宜に制御する。
【００１９】
次に、本実施形態における日時情報解析処理部９で行われる処理について、図４を用いて説明する。図４のＴＳデコーダ部４、日時情報解析処理部９、システム制御部１０及び映像出力合成部１２は、図１と同じ構成要素を図示しており、日時情報解析処理部９は、時刻日付オフセットテーブル（以下、ＴＯＴと記す）解析部４２、日時情報記録部４４、リアルタイムクロック（以下、ＲＴＣと記す）部４５、日時情報ＯＳＤ画面生成部４６から構成されている。
【００２０】
時刻日付オフセットテーブル（ＴＯＴ）は、デジタルＴＶ放送におけるＴＳ信号に含まれる番組配列情報（ＳＩ）の一部であり、ＪＳＴ（Ｊａｐａｎ  Ｓｔａｎｄａｒｄ  Ｔｉｍｅ）時刻と日付の情報を伝送するために利用されている。
【００２１】
本発明の実施形態に係るデジタル放送受信記録再生装置にてＴＶ放送視聴時において、チューナ部３より出力されるＴＳ、或いは録画した番組の再生時において、記録媒体１１に記録され記録データ処理部５から読み出されたパーシャルＴＳの何れかが、ＴＳデコーダ部４に入力され、ＴＯＴを伝送するＴＳパケットを分離して、ＴＯＴデータ４１を得る。
【００２２】
ＴＯＴデータ４１はＴＯＴ解析部４２に供給され、日時情報のデコードが行われ、ここで得られた日時情報４３は、日時情報記憶部４４にて保持される。この処理はＴＯＴデータ４１が取得される度に行われ、日時情報記憶部４４には常に最新の日時情報が保持される。ＲＴＣ（リアルタイムクロック）部４５は、計時処理を行うために使用される。動作開始時においては、日時情報記憶部４４に保持されている日時情報４３を初期値としてロードし、以降は内部の自走クロックにより計時処理を継続する。
【００２３】
ＴＯＴ解析部４２が出力する日時情報４３により、日時情報記憶部４４の保持値は逐次更新されるが、このとき、システム制御部１０は、日時情報記憶部４４内部に保持されている日時情報と、ＲＴＣ部４５より取得した日時情報を比較し、両情報の差分が、予め定められた閾値以上になったときには、日時情報記録部４４の日時情報をＲＴＣ部４５へ再ロードすることで日時情報を補正し、計時処理を継続する。このような処理により、ＴＳデコーダ部４に供給されるＴＳ信号４０の内容を反映し続けることができる。以上の処理は、本実施形態に係るデジタル放送受信記録再生装置にてＴＶ放送を視聴する際、または録画した番組を再生する際には常時行われる。
【００２４】
換言すると、ＴＯＴの送出間隔が例えば３０秒であるとすると、３０秒ごとに日情報記憶部４４には日時情報４３が更新されることとなる。そして、このＴＯＴはＴＳデコーダ部４の入力が現在放送中のテレビ番組であろうと記録媒体１１からの録画番組であろうと、これらの番組中に含まれているものであるので、現在放送中のテレビ番組から録画番組に変更した場合には、日時情報記憶部４４に記憶される日時は現在時刻から録画時刻に変更されることとなる。時刻が変更された時点で変更時刻をＲＴＣ部へ再ロードすることとなる（上述した差分が閾値以上となるので）。また、ＲＴＣ部の自走クロックの計時に誤りが発生して、例えば、更新されたＴＯＴとの間に差分が生じた場合にも（閾値以上となる場合にも）、ＴＯＴに合わせるように補正することができる。
【００２５】
そして、後述する日時情報ＯＳＤ画面生成部４６へはＲＴＣ部４５の出力である日時情報を送出するので、例えば、ＴＯＴ送出間隔以内の正確な時刻を日時情報メッセージ５２としてデータ放送画面に表示することができる。因みに、このＴＯＴ送出間隔以内の計時精度を無視して回路構成の簡略化を図ったものが本発明の第２の実施形態である。
【００２６】
日時情報ＯＳＤ画面生成部４６は、システム制御部１０からの指示により、ＲＴＣ部４５から日時情報を取得し、現在処理中のＴＳ信号４０に対応する日付及び時刻をユーザに対して提示するための日時情報ＯＳＤ画面４７を生成し、映像出力合成部１２へ供給する。
【００２７】
次に、本実施形態に係るデジタル放送受信記録再生装置において、現在、放送しているテレビ番組を視聴中、或いは過去に録画した番組を再生して視聴中に（図１に示すＴＳデコード部４には２つの入力系統が存在する）、データ放送画面に移行する際の動作について説明する。
【００２８】
ある番組視聴中、図５に示す、シーン５０において、図２で図示するリモコン２０のデータ放送ボタン（ｄボタン）２２を押下すると、図４の日時情報ＯＳＤ画面生成部４６にて、図５の５２に示すような視聴中の番組のシーンに対応した日時情報を示すメッセージを含む日時情報ＯＳＤ画面４７が生成される。
【００２９】
ここで、従来の装置においては、リモコン２０のｄボタン２２を押下した場合は、図１のビデオ処理部７から出力される主たる映像信号と、データ放送処理部８から出力されるデータ放送画面を映像出力合成部１２により合成して、図３に示すようなデータ放送画面３０が出力されるが、本実施形態においては、ｄボタン２２を押下後、予め定められた時間、前述した日時情報ＯＳＤ画面４７も合わせて重畳し出力する。このときの画面出力の例を図５の５１に示す。
【００３０】
画面出力例５１においては、通常のテレビ番組表示画面に対して日時情報を示すメッセージ５２が合成されている。通常は、リモコン２０のｄボタン２２を押してから、データ放送画面（図３に示す画面例３０）に移行する際に、若干の処理時間が掛かるため、通常のテレビ番組画面からデータ放送画面（図３の３０）に切り替わる前に、メッセージ５２が重畳され、以後に表示するデータ放送画面の放送時期をユーザに対して、明確に提示することが可能になる。なお、ユーザに対してメッセージ５２を確実に伝達するために、メッセージ５２の重畳出力後に、予め定められた時間の経過した後で、データ放送画面に切り替えても良い。また、合わせて音声により日時情報を告知するようにしても良い。
【００３１】
さらに、データ放送画面に切り替わった後も、ある一定期間、メッセージ５２を提示したままにしておいても構わない。
【００３２】
「第２の実施形態」
次に、本発明の実施形態に係るデジタル放送受信記録再生装置について、図６を参照しながら説明する。図６は本発明の第２の実施形態に係るデジタル放送受信記録再生装置における日時情報解析処理部の詳細構成を示す図である。図６は、図４に示す本発明の第１の実施形態に係るデジタル放送受信記録再生装置における日時情報解析処理部９とは別異の構成を示したものである。第２の実施形態は、日時情報解析処理部９以外の他の構成については、第１の実施形態と共通している。
【００３３】
第２の実施形態に係るデジタル放送受信記録再生装置における日時情報解析処理部９は、図４のＲＴＣ部４５が存在しない点において、第１の実施形態と異なる。図６に示す第２の実施形態においては、日時情報ＯＳＤ画面生成部４６にて使用される日時情報として、日時情報記憶部４４に保持されたデータをそのまま用いる。通常、地上波デジタル放送においてＴＯＴの送出間隔（更新間隔）は５〜３０秒程度である。このため、第１の実施形態と比較すると日時情報としての分解能は落ちることになるが、ＲＴＣ部４５が不要となるため、部品構成及び処理が簡略になる。
【００３４】
第２の実施形態においては、視聴するデータ放送が、現在のものなのか、それとも過去に記録したものなのかをユーザに意識させることができればよいので、日時情報の分解能が数秒程度になったとしても、それほど差し支えないものである。
【００３５】
以上説明したように、本発明の実施形態は、テレビ番組視聴中に、データ放送画面に移行する際に、データ放送のコンテンツが現在のものなのか、過去に記録したものなのかを示す情報をユーザに対して明確に提示することにより、データ放送の情報内容の放送時期（放送時間）を意識させ、データ放送の情報内容を誤認する危険性を回避することが発明の解決課題であり、そのために、データ放送移行時に、ＴＳで伝送されるＴＯＴから得た時刻情報を、映像出力に重畳させることによって、ユーザに対してデータ放送コンテンツの放送磁気を明確に提示することを主たる特徴とするものである。
【図面の簡単な説明】
【００３６】
【図１】本発明の第１の実施形態に係るデジタル放送受信記録再生装置の構成を示すブロック図である。
【図２】第１の実施形態に係るデジタル放送受信記録再生装置におけるリモコンの構成を示す図である。
【図３】第１の実施形態に関するテレビ番組を構成するデータ放送画面例を示す図である。
【図４】第１の実施形態に係るデジタル放送受信記録再生装置における日時情報解析処理部の詳細構成を示す図である。
【図５】第１の実施形態に係るデジタル放送受信記録再生装置における日時情報メッセージの画面表示例を示す図である。
【図６】本発明の第２の実施形態に係るデジタル放送受信記録再生装置における日時情報解析処理部の詳細構成を示す図である。
【符号の説明】
【００３７】
１  デジタル放送受信記録再生装置
２  アンテナ
３  チューナ部
４  ＴＳデコーダ部
５  記録データ処理部
６  オーディオ処理部
７  ビデオ処理部
８  データ放送処理部
９  日時情報解析処理部
１０  システム制御部
１１  記録媒体
１２  映像出力合成部
１３  操作部
１４  リモコン受光部
１５  音声出力部
１６  映像出力部
１７，２０  リモコン
２１  十字カーソル・決定ボタン
２２  ｄボタン（データ放送ボタン）
２３  ４色ボタン（青・赤・緑・黄）
３０  データ放送表示画面
３１  主映像縮小画面
３２  気象情報
３３  最新ニュース
３４  番組情報
４０  ＴＳ信号
４１  ＴＯＴデータ
４２  ＴＯＴ解析部
４３  日時情報
４４  日時情報記憶部
４５  ＲＴＣ（リアルタイムクロック）部
４６  日時情報ＯＳＤ画面生成部
４７  日時情報ＯＳＤ画面
５０  テレビ番組画面出力例
５１  日時情報提示画面出力例
５２  日時情報メッセージ
【図１】
2007300324.tif 000003
【図２】
2007300324.tif 000004
【図３】
2007300324.tif 000005
【図４】
2007300324.tif 000006
【図５】
2007300324.tif 000007
【図６】
2007300324.tif 000008